(57)【要約】【課題】操作位置の検出の感度が高められるタッチセンサ、タッチパネル、および、表示装置を提供する。【解決手段】透明誘電体層と、透明誘電体層の一方の面にて第１方向に沿って延びる複数のドライブ電極１１と、透明誘電体層の他方の面にて第１方向と交差する第２方向に沿って延びる複数のセンシング電極１３と、を備える。そして、第１方向に沿う単位長さあたりのドライブ電極１１の面積が単位面積として設定され、ドライブ電極１１は、大面積部分１１Ｌと、大面積部分１１Ｌよりも単位面積が小さい小面積部分１１Ｓとから構成され、センシング電極１３は、小面積部分１１Ｓと対向する。【選択図】図３
2014149705.tif 000002
【特許請求の範囲】
【請求項１】
透明誘電体層と、
前記透明誘電体層の一方の面にて第１方向に沿って延びる複数の第１電極と、
前記透明誘電体層の他方の面にて前記第１方向と交差する第２方向に沿って延びる複数の第２電極と、を備え、
前記第２電極にて前記第１電極と対向する部分が、対向部分として設定され、
前記対向部分での前記第１方向に沿う長さが、単位幅として設定され、
前記第１電極における前記単位幅ごとの面積が、単位面積として設定され、
前記第１電極は、大面積部分と、前記大面積部分よりも前記単位面積が小さい小面積部分とを含み、
前記第２電極は、前記小面積部分と対向する
タッチセンサ。
【請求項２】
前記第２方向における前記第１電極の最外形の寸法は、一定であり、
前記小面積部分には、前記第１電極を貫通する複数の貫通孔が形成されている
請求項１に記載のタッチセンサ。
【請求項３】
前記貫通孔は、前記第１方向に沿って延びるスリットであり、
前記第１方向における前記スリットの幅は、前記第１方向における前記第２電極の幅よりも大きい
請求項２に記載のタッチセンサ。
【請求項４】
前記第２方向における前記第１電極の最外形の寸法は、一定であり、
前記第１方向における前記第２電極の幅は、一定であり、かつ、前記第２方向における前記第１電極の幅よりも小さい
請求項１から３のいずれか１つに記載のタッチセンサ。
【請求項５】
前記第１電極は、ドライブ電極であり、
前記第２電極は、センシング電極である
請求項１から４のいずれか１つに記載のタッチセンサ。
【請求項６】
前記複数のスリットの各々は、互いに同一の平面形状を有し、
前記平面形状は、矩形、ひし形、および、楕円のいずれかである
請求項３に記載のタッチセンサ。
【請求項７】
請求項１から６のいずれか１つに記載のタッチセンサと、
前記タッチセンサに積層されたカバー層と、を備える
タッチパネル。
【請求項８】
請求項７に記載のタッチパネルと、
前記タッチパネルに積層された表示パネルと、を備える
表示装置。
【発明の詳細な説明】
【技術分野】
【０００１】
本開示の技術は、透明誘電体層を挟んで相互に対向する複数の電極を備える投影型静電容量方式のタッチセンサ、タッチパネル、および、表示装置に関する。
【背景技術】
【０００２】
近年、電子機器の入力デバイスとして、タッチパネルが広く用いられている。投影型静電容量方式のタッチパネルでは、Ｘ方向に沿って延びる複数の第１電極と、Ｘ方向に対して直交するＹ方向に沿って延びる複数の第２電極とが、透明誘電体層を挟んで重ねられている。そして、相互に対向する２つの電極間の静電容量値は、タッチパネルの操作面に指等が接触するときに減少する。それゆえに、複数の第１電極の各々と１つの第２電極との間における静電容量値の減少の有無が、第２電極ごとに検出されることによって、操作面での操作位置が検出される（例えば、特許文献１参照）。
【先行技術文献】
【特許文献】
【０００３】
【特許文献１】特開２０１２−２３０４７１号公報
【発明の概要】
【発明が解決しようとする課題】
【０００４】
ところで、タッチパネルの薄型化が望まれる近年では、透明誘電体層を薄く形成することが求められるため、第１電極と第２電極との間の静電容量値は大きくなる傾向にある。一方で、タッチパネルの操作に伴う静電容量値の減少量とは、指等と電極との静電状態によって変わる値であるため、透明誘電体層が薄くなる構成であっても、静電容量値の減少量は、電極間の静電容量値のように大きくは変わらない。そのため、第１電極と第２電極との間の距離が小さくなると、結局のところ、タッチパネルの薄型化は可能ではあるが、電極間の静電容量値に対するその減少量の比率が小さくなって操作位置の検出の感度が低下してしまう。
【０００５】
本開示の技術は、操作位置の検出の感度が高められるタッチセンサ、タッチパネル、および、表示装置を提供することを目的とする。
【課題を解決するための手段】
【０００６】
本開示の技術におけるタッチセンサの一態様は、透明誘電体層と、前記透明誘電体層の一方の面にて第１方向に沿って延びる複数の第１電極と、前記透明誘電体層の他方の面にて前記第１方向と交差する第２方向に沿って延びる複数の第２電極と、を備える。また、前記第２電極にて前記第１電極と対向する部分が、対向部分として設定され、前記対向部分での前記第１方向に沿う長さが、単位幅として設定され、前記第１電極における前記単位幅ごとの面積が、単位面積として設定される。そして、前記第１電極は、大面積部分と、前記大面積部分よりも前記単位面積が小さい小面積部分とを含み、前記第２電極は、前記小面積部分と対向する。
【０００７】
本開示の技術におけるタッチパネルの一態様は、上記タッチセンサと、上記タッチセンサに積層されたカバー層とを備える。
本開示の技術における表示装置の一態様は、上記タッチパネルと、上記タッチパネルに積層された表示パネルとを備える。
【０００８】
本開示の技術の一態様によれば、第２電極が大面積部分と対向する構成と比較して、第２電極と対向する部分の面積は、第１電極において小さくなる。したがって、第２電極が大面積部分と対向する構成と比較して、電極間の静電容量値が小さくなる結果、電極間の静電容量値に対するその減少量の比率が大きくなるため、操作位置の検出の感度が高められる。
【０００９】
本開示の技術におけるタッチセンサの他の態様では、前記第２方向における前記第１電極の最外形の寸法は、一定である。そして、前記小面積部分には、前記第１電極を貫通する複数の貫通孔が形成されている。
【００１０】
本開示の技術におけるタッチセンサの他の態様によれば、第２方向における第１電極の最外形の寸法が一定であるため、第２方向における第１電極の最外形の寸法が第１方向の位置によって異なる構成と比較して、複数の第１電極の各々に対する最外形の設計や、複数の第１電極の各々の配置が容易である。また、大面積部分と小面積部分とは、第１電極に形成される複数の貫通孔によって区画され、第２電極の配置される位置は、複数の貫通孔と対向する位置に設定される。それゆえに、第１電極と第２電極との位置の整合に際しては、第２電極と複数の貫通孔とが対向しているか否かを確認すればよく、こうした整合の確認が容易でもある。
【００１１】
本開示の技術におけるタッチセンサの他の態様では、前記貫通孔は、前記第１方向に沿って延びるスリットである。そして、前記第１方向における前記スリットの幅は、前記第１方向における前記第２電極の幅よりも大きい。
【００１２】
本開示の技術におけるタッチセンサの他の態様によれば、第１方向におけるスリットの幅が、第１方向における第２電極の幅よりも大きいため、スリットの幅と第２電極の幅とが等しい構成と比べて、小面積部分と対向する位置に第２電極を配置することが容易でもある。
【００１３】
本開示の技術におけるタッチセンサの他の態様では、前記第２方向における前記第１電極の最外形の寸法は、一定である。そして、前記第１方向における前記第２電極の幅は、一定であり、かつ、前記第２方向における前記第１電極の幅よりも小さい。
【００１４】
本開示の技術におけるタッチセンサの他の態様によれば、第１方向における第２電極の幅が、第２方向における第１電極の幅と等しい構成と比較して、第１電極と第２電極とにおいて、相互に対向する部分での電極の面積が小さくなる。したがって、第１電極と第２電極と間の静電容量値がさらに小さくなるため、操作位置の検出の感度がさらに高められる。
【００１５】
本開示の技術におけるタッチセンサの他の態様では、前記第１電極は、ドライブ電極であり、前記第２電極は、センシング電極である。
本開示の技術におけるタッチセンサの他の態様によれば、小面積部分を有する電極がドライブ電極であるため、小面積部分を有する電極がセンシング電極である構成と比較して、センシング電極の抵抗の増加が抑えられる。結果として、センシング電極の抵抗の増加に起因した操作位置の検出の感度の低下が抑えられる。
【００１６】
本開示の技術におけるタッチセンサの他の態様では、前記複数のスリットの各々は、互いに同一の平面形状を有し、前記平面形状は、矩形、ひし形、および、楕円のいずれかである。
【００１７】
本開示の技術におけるタッチセンサの他の態様によれば、複数のスリットの各々の大きさの設計や複数のスリットの各々の配置の設計が容易でもある。
【発明の効果】
【００１８】
本開示の技術によれば、透明誘電体層を挟んで相互に対向する複数の電極を備えるタッチセンサ、タッチパネル、および、表示装置において操作位置の検出の感度が高められる。
【図面の簡単な説明】
【００１９】
【図１】本開示の技術の一実施形態におけるタッチパネルの断面構造を示す断面図。
【図２】同実施形態におけるドライブ電極の平面構造を示す平面図。
【図３】同実施形態におけるドライブ電極とセンシング電極とを積層方向から見た平面構造を示す平面図。
【図４】変形例におけるドライブ電極とセンシング電極とを積層方向から見た平面構造を示す平面図。
【図５】変形例におけるタッチパネルの断面構造を示す断面図。
【発明を実施するための形態】
【００２０】
（構成）
図１〜図３を参照して、タッチセンサ、タッチパネル、および、表示装置の一実施形態について説明する。まず、図１を参照して、タッチパネルの全体構成について説明する。
【００２１】
タッチセンサ１０Ａは、透明誘電体層としての透明基材１２と、透明基材１２の下面に形成されたドライブ電極１１と、透明基材１２の上面に形成されたセンシング電極１３とを備えている。タッチパネル１０Ｂは、タッチセンサ１０Ａと、タッチセンサ１０Ａに積層されたカバー層１５とを備えている。表示装置１０Ｃは、タッチパネル１０Ｂと、タッチパネル１０Ｂに積層された表示パネル２１とを備えている。
【００２２】
ドライブ電極１１は、紙面の手前から奥側に向かって隙間を空けて並べられ、ドライブ電極１１に駆動電圧を印加してドライブ電極１１を選択する選択回路に接続されている。センシング電極１３は、紙面の左側から右側に向かって隙間を空けて並べられ、センシング電極１３の静電容量値の変化を検出する検出回路に接続されている。
【００２３】
透明基材１２には、ガラス基板や樹脂フィルムが用いられ、ドライブ電極１１とセンシング電極１３には、酸化インジウム錫等のインジウム、スズ、ガリウム、亜鉛等の金属酸化物の複合酸化物膜、Ａｇナノワイヤー、導電性高分子膜、ＺｎＯ、ＩＧＺＯ、グラフェン等の導電膜が用いられる。ドライブ電極１１とセンシング電極１３とは、例えば、透明基材１２上に成膜された薄膜がエッチングされることによって形成される。
【００２４】
透明基材１２の上面には、複数のセンシング電極１３の各々を覆う接着層１４が貼り付けられ、接着層１４の上面には、ガラス基板や樹脂フィルム等からなるカバー層１５が貼り付けられている。カバー層１５における上面は、タッチパネル１０Ｂの最上面であって、指等の操作手段によって操作される操作面として機能する。透明基材１２の下面、すなわち、透明基材１２のドライブ電極１１側に、液晶パネルや有機ＥＬパネル等の表示パネル２１が配置されている。タッチパネル１０Ｂと表示パネル２１とが接着部材を介して貼り合わされて、表示装置１０Ｃが構成される。
【００２５】
図２および図３を参照して、ドライブ電極１１の構成、および、センシング電極１３の構成について説明する。なお、図２は、ドライブ電極１１のみをタッチパネルの積層方向から見た平面図であり、図３は、ドライブ電極１１とセンシング電極１３とをタッチパネルの積層方向から見た平面図である。また、図２では、ドライブ電極１１に形成されたスリットの構成を説明する便宜上、ドライブ電極１１の幅が誇張された状態で示され、図３では、スリットとセンシング電極１３との重なりを説明する便宜上、スリットの数やセンシング電極１３の本数が割愛された状態で示されている。
【００２６】
図２に示されるように、複数のドライブ電極１１の各々は、１つの方向であるＸ方向に沿って延びる帯状に形成されている。複数のドライブ電極１１の各々は、Ｘ方向と直交する方向であるＹ方向に沿って一定の隙間を空けて並べられている。Ｘ方向におけるドライブ電極１１の長さである電極長Ｄｘは、ドライブ電極１１のＹ方向の全域にわたり一定である。また、Ｙ方向におけるドライブ電極１１の長さである電極幅Ｄｙは、ドライブ電極１１のＸ方向の全域にわたり一定である。
【００２７】
ドライブ電極１１には、ドライブ電極１１を貫通する貫通孔である複数のスリット１６が、Ｘ方向に沿って延びる矩形孔として形成されている。Ｘ方向におけるスリット１６の長さは、スリット長Ｗｘとして設定され、Ｙ方向におけるスリット１６の長さは、スリット幅Ｗｙとして設定されている。１つのドライブ電極１１には、４つのスリット１６がＸ方向に沿って一定の間隔を空けて並べられている。また、１つのドライブ電極１１には、４つのスリット１６がＹ方向に沿って一定の間隔を空けて並べられている。Ｙ方向に沿って並べられた４つのスリット１６にて、相互に隣り合うスリット１６間の間隔は、スリット間隔ａとして設定されている。
【００２８】
複数のドライブ電極１１の各々では、Ｙ方向の全体にわたりスリット１６が形成されていない部分が、大面積部分１１Ｌとして設定される。また、ドライブ電極１１では、Ｙ方向の一部にスリット１６が形成される部分が、小面積部分１１Ｓとして設定される。そして、ドライブ電極１１では、大面積部分１１Ｌと小面積部分１１Ｓとが、Ｙ方向に沿って並ぶ４つのスリット１６の両端辺によって区画され、大面積部分１１Ｌと小面積部分１１Ｓとが、Ｘ方向に沿って交互に繰り返されている。
【００２９】
図３に示されるように、センシング電極１３は、Ｙ方向に沿って延びる帯状に形成され、Ｘ方向に沿って一定の間隔を空けて並べられている。Ｘ方向におけるセンシング電極１３の長さである電極幅Ｓｘは、センシング電極１３のＹ方向の全域にわたり一定であり、かつ、スリット１６のスリット長Ｗｘよりも小さい。Ｙ方向におけるセンシング電極１３の長さである電極長Ｓｙは、センシング電極１３のＸ方向の全域にわたり一定である。センシング電極１３の電極幅Ｓｘは、ドライブ電極１１の電極幅Ｄｙよりも小さく設定されている。
【００３０】
ここで、複数のセンシング電極１３の各々にてドライブ電極１１と対向する部分は、対向部分Ｓとして設定され、Ｘ方向における対向部分Ｓの長さは、単位幅として設定され、ドライブ電極１１における単位幅ごとの面積は、単位面積として設定される。なお、本実施形態における単位幅は、電極幅Ｓｘに設定されている。
【００３１】
この際に、ドライブ電極１１にて、複数の小面積部分１１Ｓの各々は、大面積部分１１Ｌよりも単位面積が小さい。そして、複数のセンシング電極１３の各々は、単位面積が相対的に小さい部分である小面積部分１１Ｓと対向する位置に配置されている。なお、小面積部分１１ＳがＹ方向において占める長さは、電極幅Ｄｙから、４つ分のスリット幅Ｗｙを除いた長さである。それゆえに、小面積部分１１Ｓとは、Ｙ方向において占める電極の長さが、大面積部分１１Ｌよりも小さい部分でもある。
【００３２】
また、複数のスリット１６の各々は、複数のセンシング電極１３のいずれか１つと対向する位置に配置され、複数のスリット１６の各々におけるＸ方向の中心は、センシング電極１３におけるＸ方向の中心と対向している。また、複数のドライブ電極１１の各々では、Ｘ方向において相互に隣り合うセンシング電極１３の中間位置１１Ｃと対向する部位に、大面積部分１１Ｌが配置されている。
（作用）
上記タッチパネルでは、Ｙ方向に沿って並ぶ複数のドライブ電極１１の各々が選択回路によって順に選択され、選択されたドライブ電極１１とセンシング電極１３の各々との間における静電容量値の減少の有無が、検出回路によってセンシング電極１３ごとに検出される。
【００３３】
この際に、複数のセンシング電極１３の各々が小面積部分１１Ｓと対向するため、センシング電極１３が大面積部分１１Ｌと対向する構成と比較して、センシング電極１３と対向する部分の面積は、ドライブ電極１１において小さくなる。詳述すると、ドライブ電極１１では、中間位置１１Ｃと対向する部分と比較して、センシング電極１３と対向する部分にて、電極の占める長さがＹ方向において小さい。したがって、ドライブ電極１１にスリット１６が形成されない構成と比較して、センシング電極１３と対向する部分の面積は、ドライブ電極１１において小さくなる。
【００３４】
２つの導体間における静電容量値の大きさは、２つの導体間の距離に反比例する一方で、２つの導体が対向する部分の面積に比例する。したがって、スリット１６が形成されない構成と比較して、センシング電極１３と対向するドライブ電極１１の部分の面積が小さくなることにより、２つの電極間の静電容量値の大きさは小さくなる。その結果、非接触時の静電容量値に対する接触時の静電容量値の減少量の比率が大きくなるため、操作面への指等の接触に対する検出の感度が高められる。したがって、操作位置の検出の感度を良好に維持しつつ、透明基材１２を薄くしてタッチパネルを薄く形成することも可能となる。
【００３５】
また、センシング電極１３の電極幅Ｓｘが、ドライブ電極１１の電極幅Ｄｙよりも小さい。そのため、電極幅Ｓｘが電極幅Ｄｙと等しい場合と比較して、センシング電極１３との対向する部分の面積がドライブ電極１１にてさらに小さくなる。これによっても、２つの電極間の静電容量値の大きさが小さくなるため、操作位置の検出の感度が高められる。
【００３６】
また、複数のスリット１６の各々は、センシング電極１３と対向する位置ごとにドライブ電極１１に形成され、複数のスリット１６の各々は、Ｘ方向に沿って隙間を空けて配置されている。ここで、タッチパネルが表示パネルに積層される際には、透明基材１２の下面に形成されるドライブ電極１１が、センシング電極１３と表示パネルとの間に配置される。この際に、複数のドライブ電極１１の各々は、表示パネルからのノイズがセンシング電極１３による検出結果に影響を与えることを抑えるシールド層として機能する。本実施形態では、スリット１６がＸ方向に沿って隙間を空けて形成されるため、ドライブ電極１１におけるＸ方向の略全幅にわたりスリット１６が連続する構成と比較して、ドライブ電極１１の面積が過度に小さくなることが抑えられる。結果として、ドライブ電極１１によるノイズのシールド効果が低下することが抑えられる。
（実施例）
上述したタッチセンサ、タッチパネル、および、表示装置が有する効果について、以下に挙げる具体的な実施例、及び、比較例を用いて説明する。
【００３７】
［実施例］
透明基材１２の厚さ（ドライブ電極とセンシング電極との間の距離）、ドライブ電極１１およびセンシング電極１３の各部の寸法を下記条件に設定して、実施例のタッチパネルを作成した。実施例のタッチパネルに対し、ドライブ電極１１とセンシング電極１３との間の静電容量値の大きさを測定した結果、測定値は１．９１ｐＦであった。
【００３８】
・透明基材１２の厚さ  ：５０μｍ
・電極幅Ｄｙ          ：４．４ｍｍ
・スリット長Ｗｘ      ：２０００μｍ
・スリット幅Ｗｙ      ：６５０μｍ
・スリット間隔ａ      ：３５０μｍ
・電極幅Ｓｘ          ：１．０ｍｍ
［比較例］
ドライブ電極にスリットを形成しない以外は、実施例と同様の条件として、比較例のタッチパネルを作成した。比較例のタッチパネルに対し、ドライブ電極とセンシング電極との間の静電容量値の大きさを測定した結果、測定値は３．１４ｐＦであった。
【００３９】
実施例と比較例とを比較すると、ドライブ電極１１にスリット１６が形成されている実施例では、ドライブ電極１１とセンシング電極１３との間の静電容量値の大きさが、ドライブ電極１１にスリット１６が形成されていない比較例よりも小さくなることが認められた。したがって、ドライブ電極１１にスリット１６が形成されることによって、操作位置の検出の感度が高められる。
【００４０】
以上説明したように、本実施形態によれば、以下の効果が得られる。
（１）センシング電極１３が大面積部分１１Ｌと対向する構成と比較して、センシング電極１３と対向する部分の面積が、ドライブ電極１１において小さくなる。そして、センシング電極１３が大面積部分１１Ｌと対向する構成と比較して、電極間の静電容量値に対するその減少量の比率が大きくなるため、タッチパネルにおける操作位置の検出の感度が高められる。
【００４１】
（２）ドライブ電極１１の最外形の寸法である電極幅Ｄｙが一定であるため、最外形の寸法がＸ方向にて異なる構成と比較して、複数のドライブ電極１１の各々に対する最外形の設計や、複数のドライブ電極１１の各々の配置が容易である。
【００４２】
（３）大面積部分１１Ｌと小面積部分１１Ｓとは、ドライブ電極１１に形成される複数のスリット１６の両端部によって区画され、センシング電極１３の配置される位置は、複数のスリット１６と対向する位置に設定される。それゆえに、ドライブ電極１１とセンシング電極１３との位置の整合に際しては、複数のセンシング電極１３の各々がスリット１６と対向しているか否かを確認すればよく、スリット１６が形成されていない構成と比較して、こうした整合の確認が容易でもある。
【００４３】
（４）スリット長Ｗｘが電極幅Ｓｘよりも大きいため、スリット長Ｗｘが電極幅Ｓｘと等しい構成と比較して、小面積部分１１Ｓと対向する位置にセンシング電極１３を配置することが容易でもある。
【００４４】
（５）電極幅Ｓｘが電極幅Ｄｙよりも小さいため、電極幅Ｓｘが電極幅Ｄｙと等しい構成と比較して、センシング電極１３と対向する部分の面積がドライブ電極１１にてさらに小さくなる。したがって、操作位置の検出の感度がさらに高められる。
【００４５】
（６）複数のスリット１６の各々が、互いに同一の平面形状を有しているため、複数のスリット１６の各々の大きさの設計や複数のスリット１６の各々の配置の設計が容易でもある。
【００４６】
（変形例）
上記実施形態は、以下のように変更して実施することが可能である。
・スリット１６の平面形状、位置、および、個数は、上述の態様に限られない。例えば、図４に示されるように、スリット１７の平面形状がＸ方向に延びるひし形に形成され、３つのスリット１７がＹ方向に沿って並べられてもよい。なお、図４では、ドライブ電極１１の上部に配置されるセンシング電極１３の一部を省略して示している。また、スリットの平面形状は、楕円、および、その他の多角形、さらには、曲線で囲まれる図形であってもよく、縦横の比率が同じ正方形や円形の貫通孔であってもよい。また、相互に異なる平面形状からなるスリットが、１つのドライブ電極１１に含まれていてもよく、複数のスリット１６におけるＸ方向の位置やＹ方向の位置が相互に異なってもよい。
【００４７】
・電極幅Ｄｙは、Ｘ方向において異なってもよく、要するに、ドライブ電極１１は大面積部分１１Ｌと小面積部分１１Ｓとから構成され、センシング電極１３が小面積部分１１Ｓと対向する構成であればよい。例えば、電極幅Ｄｙが周辺よりも小さくなる括れ部分を小面積部分１１Ｓが備え、センシング電極１３が括れ部分と対向する構成であってもよい。この際に、小面積部分１１Ｓからスリット１６が割愛されてもよい。
【００４８】
・スリットは、ドライブ電極１１に代えて、センシング電極１３のうちドライブ電極１１と対向する部分に形成されてもよい。また、ドライブ電極１１とセンシング電極１３との両方にスリットが設けられてもよい。要するに、スリットは、透明誘電体層を挟んで対向する２つの電極のうちの少なくとも一方に設けられていればよい。ただし、ドライブ電極１１にスリットが形成され、センシング電極１３にスリットが形成されていない構成であれば、センシング電極１３の配線抵抗の増加による感度の低下が抑えられる。
【００４９】
・電極幅Ｓｘは、電極幅Ｄｙよりも大きくてもよい。ただし、電極幅Ｄｙが電極幅Ｓｘよりも大きい構成では、センシング電極１３と表示パネルとの間に配置されるドライブ電極１１の面積が大きくなるため、ドライブ電極１１によるシールド効果が高められる。
【００５０】
・大面積部分１１Ｌは、スリット１６を含む部分であってもよく、大面積部分１１Ｌよりも単位面積の小さい小面積部分１１Ｓが、ドライブ電極１１に含まれる構成であればよい。例えば、大面積部分１１Ｌは、Ｙ方向に沿って２つのスリットを含む部分であって、小面積部分１１Ｓは、Ｙ方向に沿って３つ以上のスリットを含む部分であってもよい。また、１つのドライブ電極１１に含まれる複数の大面積部分１１Ｌの各々は、相互に異なる単位面積を有する構成であってもよく、大面積部分１１Ｌよりも単位面積が小さい複数の小面積部分１１Ｓにて、ドライブ電極１１と複数のセンシング電極１３とが対向する構成であればよい。
【００５１】
・ドライブ電極１１は、小面積部分１１Ｓよりも単位面積の小さい部分を含む構成であってもよい。要するに、ドライブ電極１１は、大面積部分１１Ｌと、大面積部分１１Ｌよりも単位面積の小さい部分である小面積部分１１Ｓとを含み、センシング電極１３が小面積部分１１Ｓと対向する位置に配置されていればよい。
【００５２】
・図５に示されるように、ドライブ電極１１とセンシング電極１３とが互いに異なる透明基材に形成されてもよい。すなわち、ドライブ基板１８上にドライブ電極１１が形成され、センシング基板１９上にセンシング電極１３が形成されている。ドライブ電極１１は、接着層２０を介してセンシング基板１９のセンシング電極１３が形成されていない側の面と貼り付けられる。また、センシング電極１３は、接着層１４を介してカバー層１５と貼り付けられる。この場合、ドライブ電極１１とセンシング電極１３とに挟まれる接着層２０とセンシング基板１９とが、透明誘電体層を構成する。こうした構成によっても、同様の積層構造を有してセンシング電極１３が大面積部分１１Ｌと対向する構成と比較して、ドライブ電極１１とセンシング電極１３と間の静電容量値が小さくなるため、操作位置の検出の感度が向上する。
【符号の説明】
【００５３】
ａ…スリット間隔、Ｄｙ，Ｓｘ…電極幅、Ｄｘ，Ｓｙ…電極長、Ｗｘ…スリット長、Ｗｙ…スリット幅、Ｓ…対向部分、１０Ａ…タッチセンサ、１０Ｂ…タッチパネル、１０Ｃ…表示装置、１１…ドライブ電極、１１Ｌ…大面積部分、１１Ｓ…小面積部分、１２…透明基板、１３…センシング電極、１４，２０…接着層、１５…カバー層、１６，１７…スリット、１８…ドライブ基板、１９…センシング基板、２１…表示パネル。
【図１】
2014149705.tif 000003
【図２】
2014149705.tif 000004
【図３】
2014149705.tif 000005
【図４】
2014149705.tif 000006
【図５】
2014149705.tif 000007